【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
アクセスポイント（ＡＰ）のワイヤレス通信の方法であって、
第１の時間期間内に通信のための媒体予約手順を共同でイネーブルにし、第２の時間期間内に通信のための前記媒体予約手順を共同でディセーブルにするように、複数のステーション（ＳＴＡ）に要求することと、ここにおいて、前記要求することは、
前記複数のＳＴＡのうちの各ＳＴＡが前記ＡＰとのアップリンクトラフィックを有すると決定すること、または
前記複数のＳＴＡのうちのＳＴＡのサブセットの各ＳＴＡが、前記ＡＰにデータを送信し、前記ＡＰと前記各ＳＴＡとの間の通信を妨害する隠れノードを有すると決定すること、
のうちの少なくとも１つに基づいており、
前記媒体予約手順は、データ送信用の媒体を予約し、
第１の時間期間内の媒体予約手順を共同でイネーブルにする間、または第２の時間期間内の前記媒体予約手順を共同でディセーブルにする間、前記複数のＳＴＡから通信メトリックを示す情報を受信することと、
前記通信メトリックを示す前記受信された情報に基づいて、前記媒体予約手順の前記共同イネーブル化が前記複数のＳＴＡ向けの通信を改善するかどうかを決定することと、
前記媒体予約手順の前記共同イネーブル化が前記複数のＳＴＡ向けの通信を改善するとき、後続の通信のために前記媒体予約手順を共同でイネーブルにするように前記複数のＳＴＡに要求することと、
を備える、方法。
【請求項２】
前記複数のＳＴＡの各々が、隠れノードを有すると決定することをさらに備え、
前記ＡＰが前記複数のＳＴＡに関連して前記隠れノードから干渉を受けることに基づいて、前記複数のＳＴＡは前記媒体予約手順を共同でイネーブルおよびディセーブルにするように要求される、請求項１に記載の方法。
【請求項３】
ＳＴＡの前記サブセットの各ＳＴＡが、前記ＡＰに対する干渉を引き起こす隠れノードを有すると決定することをさらに備え、
前記複数のＳＴＡが各々アップリンクトラフィックを有すること、および前記複数のＳＴＡに対するＳＴＡの前記サブセットの割合がしきい値を満たすことに基づいて、前記複数のＳＴＡは前記媒体予約手順を共同でイネーブルおよびディセーブルにするように要求される、請求項１に記載の方法。
【請求項４】
前記媒体予約手順を共同でイネーブルおよびディセーブルにするように前記複数のＳＴＡに前記要求することは、
第１の時間期間内に前記媒体予約手順を共同でイネーブルにし、第２の時間期間内に前記媒体予約手順を共同でディセーブルにするように前記複数のＳＴＡに要求すること
を含み、
前記媒体予約手順の前記共同イネーブル化が通信を改善するかどうかを前記決定することは、
前記第１の時間期間内の前記複数のＳＴＡの前記通信メトリックと、前記第２の時間期間内の前記複数のＳＴＡの前記通信メトリックとを決定することと、
前記第２の時間期間内の前記通信メトリックと比較して前記第１の時間期間内の前記通信メトリックの改善を決定することと、
を含み、前記通信メトリックの前記改善が第１のしきい値を満たすとき、前記複数のＳＴＡ向けの前記通信が改善されると決定される、請求項１に記載の方法。
【請求項５】
前記ＡＰが、ＳＴＡの前記サブセットの第１のＳＴＡから受信されるデータパケットの受信中に信号メトリックの変化を検出するとき、前記第１のＳＴＡが隠れノードを有すると決定することをさらに備える、請求項１に記載の方法。
【請求項６】
アクセスポイント（ＡＰ）である、ワイヤレス通信のための装置であって、
第１の時間期間内に通信のための媒体予約手順を共同でイネーブルにし、第２の時間期間内に通信のための前記媒体予約手順を共同でディセーブルにするように、複数のステーション（ＳＴＡ）に要求するための手段と、ここにおいて、前記要求することは、
前記複数のＳＴＡのうちの各ＳＴＡが前記ＡＰとのアップリンクトラフィックを有すると決定すること、または
前記複数のＳＴＡのうちのＳＴＡのサブセットの各ＳＴＡが、前記ＡＰにデータを送信し、前記ＡＰと前記各ＳＴＡとの間の通信を妨害する隠れノードを有すると決定すること、
のうちの少なくとも１つに基づいており、
前記媒体予約手順は、データ送信用の媒体を予約し、
第１の時間期間内の媒体予約手順を共同でイネーブルにする間、または第２の時間期間内の前記媒体予約手順を共同でディセーブルにする間、前記複数のＳＴＡから通信メトリックを示す情報を受信するための手段と、
前記通信メトリックを示す前記受信された情報に基づいて、前記媒体予約手順の前記共同イネーブル化が前記複数のＳＴＡ向けの通信を改善するかどうかを決定するための手段と、
前記媒体予約手順の前記共同イネーブル化が前記複数のＳＴＡ向けの通信を改善するとき、後続の通信のために前記媒体予約手順を共同でイネーブルにするように前記複数のＳＴＡに要求するための手段と、
を備える、装置。
【請求項７】
前記媒体予約手順を共同でイネーブルおよびディセーブルにするように前記複数のＳＴＡに要求するための前記手段は、
第１の時間期間内に前記媒体予約手順を共同でイネーブルにし、第２の時間期間内に前記媒体予約手順を共同でディセーブルにするように前記複数のＳＴＡに要求すること、
を行うようにさらに構成され、
前記媒体予約手順の前記共同イネーブル化が通信を改善するかどうかを決定するための前記手段は、
前記第１の時間期間内の前記複数のＳＴＡの前記通信メトリックと、前記第２の時間期間内の前記複数のＳＴＡの前記通信メトリックとを決定することと、
前記第２の時間期間内の前記通信メトリックと比較して前記第１の時間期間内の前記通信メトリックの改善を決定することと、
を行うようにさらに構成され、前記通信メトリックの前記改善が第１のしきい値を満たすとき、前記複数のＳＴＡ向けの前記通信が改善されると決定される、請求項６に記載の装置。
【請求項８】
前記ＡＰが、ＳＴＡの前記サブセットの第１のＳＴＡから受信されるデータパケットの受信中に信号メトリックの変化を検出するとき、前記第１のＳＴＡが隠れノードを有すると決定するための手段をさらに備える、請求項６に記載の装置。
【請求項９】
請求項１乃至５のいずれか１つに記載の方法を行うための命令を備える、コンピュータプログラム。
【手続補正２】
【補正対象書類名】明細書
【補正対象項目名】０２０７
【補正方法】変更
【補正の内容】
【０２０７】
[00258]以上の説明は、本明細書に記載された様々な態様をいかなる当業者も実践することが可能になるために提供される。これらの態様に対する様々な修正は当業者には容易に明らかであり、本明細書で定義された一般原理は他の態様に適用される場合がある。したがって、特許請求の範囲は、本明細書に示された態様に限定されるものではなく、クレーム文言に矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という用語は１つまたは複数を指す。当業者に知られている、または後に知られることになる、本開示全体にわたって記載された様々な態様の要素のすべての構造的および機能的な等価物は、参照により本明細書に明確に組み込まれ、特許請求の範囲によって包含されるものである。その上、本明細書で開示されたものは、そのような開示が特許請求の範囲において明示的に列挙されているかどうかにかかわらず、公に供するものではない。いかなるクレーム要素も、その要素が「ための手段」という句を使用して明確に列挙されていない限り、または方法クレームの場合には、その要素が「ためのステップ」という句を使用して列挙されていない限り、米国特許法第１１２条（ｆ）の規定の下で解釈されるべきではない。
以下に本願の出願当初の特許請求の範囲に記載された発明を付記する。
［Ｃ１］
アクセスポイント（ＡＰ）のワイヤレス通信の方法であって、
複数のステーション（ＳＴＡ）の各ＳＴＡが前記ＡＰとのアップリンクトラフィックを有すること、または前記複数のＳＴＡのうちのＳＴＡのサブセットの各ＳＴＡが、前記ＡＰにデータを送信し、前記ＡＰと前記各ＳＴＡとの間の通信を妨害する隠れノードを有すること、のうちの少なくとも１つに基づいて、前記複数のＳＴＡに、データ送信用の媒体を予約する媒体予約手順を共同でイネーブルおよびディセーブルにするように要求することと、
前記媒体予約手順を共同でイネーブルまたはディセーブルにする間、前記複数のＳＴＡから通信メトリックを示す情報を受信することと、
前記通信メトリックを示す前記受信された情報に基づいて、前記媒体予約手順の前記共同イネーブル化が前記複数のＳＴＡ向けの通信を改善するかどうかを決定することと、
前記媒体予約手順の前記共同イネーブル化が前記複数のＳＴＡ向けの通信を改善するとき、後続の通信のために前記媒体予約手順を共同でイネーブルにするように前記複数のＳＴＡに要求することと、
を備える、方法。
［Ｃ２］
前記複数のＳＴＡの各々が、隠れノードを有すると決定することをさらに備え、
前記ＡＰが前記複数のＳＴＡに関連して前記隠れノードから干渉を受けることに基づいて、前記複数のＳＴＡは前記媒体予約手順を共同でイネーブルおよびディセーブルにするように要求される、Ｃ１に記載の方法。
［Ｃ３］
ＳＴＡの前記サブセットの各ＳＴＡが、前記ＡＰに対する干渉を引き起こす隠れノードを有すると決定することをさらに備え、
前記複数のＳＴＡが各々アップリンクトラフィックを有すること、および前記複数のＳＴＡに対するＳＴＡの前記サブセットの割合がしきい値を満たすことに基づいて、前記複数のＳＴＡは前記媒体予約手順を共同でイネーブルおよびディセーブルにするように要求される、Ｃ１に記載の方法。
［Ｃ４］
前記媒体予約手順は、送信要求（ＲＴＳ）／送信可（ＣＴＳ）手順を利用する、Ｃ１に記載の方法。
［Ｃ５］
前記通信メトリックは、実際のスループット、均等フルバッファスループット、再試行率、パケット誤り率（ＰＥＲ）、変調コーディング方式（ＭＣＳ）、またはアクセス遅延のうちの少なくとも１つを含む、Ｃ１に記載の方法。
［Ｃ６］
前記媒体予約手順を共同でイネーブルおよびディセーブルにするように前記複数のＳＴＡに前記要求することは、
第１の時間期間内に前記媒体予約手順を共同でイネーブルにし、第２の時間期間内に前記媒体予約手順を共同でディセーブルにするように前記複数のＳＴＡに要求すること
を含み、
前記媒体予約手順の前記共同イネーブル化が通信を改善するかどうかを前記決定することは、
前記第１の時間期間内の前記複数のＳＴＡの前記通信メトリックと、前記第２の時間期間内の前記複数のＳＴＡの前記通信メトリックとを決定することと、
前記第２の時間期間内の前記通信メトリックと比較して前記第１の時間期間内の前記通信メトリックの改善を決定することと、
を含み、前記通信メトリックの前記改善が第１のしきい値を満たすとき、前記複数のＳＴＡ向けの前記通信が改善されると決定される、Ｃ１に記載の方法。
［Ｃ７］
前記第１の時間期間内の前記複数のＳＴＡの前記通信メトリックと、前記第２の時間期間内の前記複数のＳＴＡの前記通信メトリックとを前記決定することは、
前記第１の時間期間内に前記媒体予約手順の共同イネーブル化を用いて、前記複数のＳＴＡの各ＳＴＡからデータを受信することと、
前記第１の時間期間内に前記各ＳＴＡから受信された前記データに基づいて、前記複数のＳＴＡの各ＳＴＡについて前記通信メトリックのそれぞれの第１の値を決定することと、
前記第２の時間期間内に前記媒体予約手順の共同ディセーブル化を用いて、前記複数のＳＴＡの各ＳＴＡからデータを受信することと、
前記第２の時間期間内に前記各ＳＴＡから受信された前記データに基づいて、前記複数のＳＴＡの各ＳＴＡについて前記通信メトリックのそれぞれの第２の値を決定することと、
を含み、前記通信メトリックの前記改善は、前記第１の値および前記第２の値に基づいて決定される、Ｃ６に記載の方法。
［Ｃ８］
前記第１の時間期間内に前記媒体予約手順を共同でイネーブルにし、前記第２の時間期間内に前記媒体予約手順を共同でディセーブルにするように前記複数のＳＴＡに前記要求することは、
前記第１の時間期間を示す第１の時間インジケータを前記複数のＳＴＡに送信することと、
前記第２の時間期間を示す第２の時間インジケータを前記複数のＳＴＡに送信することと、
を備える、Ｃ６に記載の方法。
［Ｃ９］
前記第１の時間期間内に前記媒体予約手順を共同でイネーブルにし、前記第２の時間期間内に前記媒体予約手順を共同でディセーブルにするように前記複数のＳＴＡに前記要求することは、
前記複数のＳＴＡの前記各ＳＴＡを識別するＳＴＡインジケータを、前記複数のＳＴＡに送信すること、
を備える、Ｃ６に記載の方法。
［Ｃ１０］
前記ＳＴＡインジケータは、フレームの情報要素（ＩＥ）に含まれるか、またはフレーム内の情報ビットである、Ｃ９に記載の方法。
［Ｃ１１］
前記ＡＰが、ＳＴＡの前記サブセットの第１のＳＴＡから受信されるデータパケットの受信中に信号メトリックの変化を検出するとき、前記第１のＳＴＡが隠れノードを有すると決定することをさらに備える、Ｃ１に記載の方法。
［Ｃ１２］
前記第１のＳＴＡから前記データパケットを受信することと、
前記データパケットの第１の位置における前記信号メトリックの第１の値を決定することと、
前記データパケットの第２の位置における前記信号メトリックの第２の値を決定することと、
をさらに備え、前記信号メトリックの前記変化は、前記第１の値および前記第２の値に基づいて検出される、Ｃ１１に記載の方法。
［Ｃ１３］
前記信号メトリックは、受信信号強度指示（ＲＳＳＩ）、推定チャネル係数、推定位相オフセット、推定周波数オフセット、または測定パイロットエラーベクトルの大きさのうちの少なくとも１つを含む、Ｃ１１に記載の方法。
［Ｃ１４］
ＳＴＡの前記サブセットの第１のＳＴＡからのデータパケット内の１つまたは複数のデータユニットが前記ＡＰにおいて正しく受信されなかったことを前記ＡＰが検出するとき、前記第１のＳＴＡが隠れノードを有すると決定することをさらに備える、Ｃ１に記載の方法。
［Ｃ１５］
前記ＡＰが、ＳＴＡの前記サブセットの第１のＳＴＡから受信されたパケットについての推定パケット誤り率（ＰＥＲ）と測定ＰＥＲとの間の差を検出するとき、前記第１のＳＴＡが隠れノードを有すると決定することをさらに備える、Ｃ１に記載の方法。
［Ｃ１６］
前記ＡＰが、ＳＴＡの前記サブセットの第１のＳＴＡから報告を受信するとき、前記第１のＳＴＡが隠れノードを有すると決定することをさらに備え、前記報告は前記第１のＳＴＡの前記隠れノードの識別情報を含む、Ｃ１に記載の方法。
［Ｃ１７］
アクセスポイント（ＡＰ）である、ワイヤレス通信のための装置であって、
複数のステーション（ＳＴＡ）の各ＳＴＡが前記ＡＰとのアップリンクトラフィックを有すること、または前記複数のＳＴＡのうちのＳＴＡのサブセットの各ＳＴＡが、前記ＡＰにデータを送信し、前記ＡＰと前記各ＳＴＡとの間の通信を妨害する隠れノードを有すること、のうちの少なくとも１つに基づいて、前記複数のＳＴＡに、データ送信用の媒体を予約する媒体予約手順を共同でイネーブルおよびディセーブルにするように要求するための手段と、
前記媒体予約手順を共同でイネーブルまたはディセーブルにする間、前記複数のＳＴＡから通信メトリックを示す情報を受信するための手段と、
前記通信メトリックを示す前記受信された情報に基づいて、前記媒体予約手順の前記共同イネーブル化が前記複数のＳＴＡ向けの通信を改善するかどうかを決定するための手段と、
前記媒体予約手順の前記共同イネーブル化が前記複数のＳＴＡ向けの通信を改善するとき、後続の通信のために前記媒体予約手順を共同でイネーブルにするように前記複数のＳＴＡに要求するための手段と、
を備える、装置。
［Ｃ１８］
前記複数のＳＴＡの各々が、隠れノードを有すると決定するための手段をさらに備え、  前記ＡＰが前記複数のＳＴＡに関連して前記隠れノードから干渉を受けることに基づいて、前記複数のＳＴＡは前記媒体予約手順を共同でイネーブルおよびディセーブルにするように要求される、Ｃ１７に記載の装置。
［Ｃ１９］
ＳＴＡの前記サブセットの各ＳＴＡが、前記ＡＰに対する干渉を引き起こす隠れノードを有すると決定するための手段をさらに備え、
前記複数のＳＴＡが各々アップリンクトラフィックを有すること、および前記複数のＳＴＡに対するＳＴＡの前記サブセットの割合がしきい値を満たすことに基づいて、前記複数のＳＴＡは前記媒体予約手順を共同でイネーブルおよびディセーブルにするように要求される、Ｃ１７に記載の装置。
［Ｃ２０］
前記媒体予約手順は、送信要求（ＲＴＳ）／送信可（ＣＴＳ）手順を利用する、Ｃ１７に記載の装置。
［Ｃ２１］
前記通信メトリックは、実際のスループット、均等フルバッファスループット、再試行率、パケット誤り率（ＰＥＲ）、変調コーディング方式（ＭＣＳ）、またはアクセス遅延のうちの少なくとも１つを含む、Ｃ１７に記載の装置。
［Ｃ２２］
前記媒体予約手順を共同でイネーブルおよびディセーブルにするように前記複数のＳＴＡに要求するための前記手段は、
第１の時間期間内に前記媒体予約手順を共同でイネーブルにし、第２の時間期間内に前記媒体予約手順を共同でディセーブルにするように前記複数のＳＴＡに要求すること、  を行うようにさらに構成され、
前記媒体予約手順の前記共同イネーブル化が通信を改善するかどうかを決定するための前記手段は、
前記第１の時間期間内の前記複数のＳＴＡの前記通信メトリックと、前記第２の時間期間内の前記複数のＳＴＡの前記通信メトリックとを決定することと、
前記第２の時間期間内の前記通信メトリックと比較して前記第１の時間期間内の前記通信メトリックの改善点を決定することと、
を行うようにさらに構成され、前記通信メトリックの前記改善が第１のしきい値を満たすとき、前記複数のＳＴＡ向けの前記通信が改善されると決定される、Ｃ１７に記載の装置。
［Ｃ２３］
前記第１の時間期間内の前記複数のＳＴＡの前記通信メトリックと、前記第２の時間期間内の前記複数のＳＴＡの前記通信メトリックとを決定するための前記手段は、
前記第１の時間期間内に前記媒体予約手順の共同イネーブル化を用いて、前記複数のＳＴＡの各ＳＴＡからデータを受信することと、
前記第１の時間期間内に前記各ＳＴＡから受信された前記データに基づいて、前記複数のＳＴＡの各ＳＴＡについて前記通信メトリックのそれぞれの第１の値を決定することと、
前記第２の時間期間内に前記媒体予約手順の共同ディセーブル化を用いて、前記複数のＳＴＡの各ＳＴＡからデータを受信することと、
前記第２の時間期間内に前記各ＳＴＡから受信された前記データに基づいて、前記複数のＳＴＡの各ＳＴＡについて前記通信メトリックのそれぞれの第２の値を決定することと、
を行うようにさらに構成され、前記通信メトリックの前記改善は、前記第１の値および前記第２の値に基づいて決定される、Ｃ２２に記載の装置。
［Ｃ２４］
前記第１の時間期間内に前記媒体予約手順を共同でイネーブルにし、前記第２の時間期間内に前記媒体予約手順を共同でディセーブルにするように前記複数のＳＴＡに要求するための前記手段は、
前記第１の時間期間を示す第１の時間インジケータを前記複数のＳＴＡに送信することと、
前記第２の時間期間を示す第２の時間インジケータを前記複数のＳＴＡに送信することと、
を行うようにさらに構成される、Ｃ２２に記載の装置。
［Ｃ２５］
前記第１の時間期間内に前記媒体予約手順を共同でイネーブルにし、前記第２の時間期間内に前記媒体予約手順を共同でディセーブルにするように前記複数のＳＴＡに要求するための前記手段は、前記複数のＳＴＡに、前記複数のＳＴＡの前記各ＳＴＡを識別するＳＴＡインジケータを送信するようにさらに構成される、Ｃ２２に記載の装置。
［Ｃ２６］
前記ＳＴＡインジケータは、フレームの情報要素（ＩＥ）に含まれるか、またはフレーム内の情報ビットである、Ｃ２５に記載の装置。
［Ｃ２７］
前記ＡＰが、ＳＴＡの前記サブセットの第１のＳＴＡから受信されるデータパケットの受信中に信号メトリックの変化を検出するとき、前記第１のＳＴＡが隠れノードを有すると決定するための手段をさらに備える、Ｃ１７に記載の装置。
［Ｃ２８］
前記第１のＳＴＡから前記データパケットを受信するための手段と、
前記データパケットの第１の位置における前記信号メトリックの第１の値を決定するための手段と、
前記データパケットの第２の位置における前記信号メトリックの第２の値を決定するための手段と、
をさらに備え、前記信号メトリックの前記変化は、前記第１の値および前記第２の値に基づいて検出される、Ｃ２７に記載の装置。
［Ｃ２９］
前記信号メトリックは、受信信号強度指示（ＲＳＳＩ）、推定チャネル係数、推定位相オフセット、推定周波数オフセット、または測定パイロットエラーベクトルの大きさのうちの少なくとも１つを含む、Ｃ２７に記載の装置。
［Ｃ３０］
ＳＴＡの前記サブセットの第１のＳＴＡからのデータパケット内の１つまたは複数のデータユニットが前記ＡＰにおいて正しく受信されなかったことを前記ＡＰが検出するとき、前記第１のＳＴＡが隠れノードを有すると決定するための手段をさらに備える、Ｃ１７に記載の装置。
［Ｃ３１］
前記ＡＰが、ＳＴＡの前記サブセットの第１のＳＴＡから受信されたパケットについての推定パケット誤り率（ＰＥＲ）と測定ＰＥＲとの間の差を検出するとき、前記第１のＳＴＡが隠れノードを有すると決定するための手段をさらに備える、Ｃ１７に記載の装置。
［Ｃ３２］
前記ＡＰが、ＳＴＡの前記サブセットの第１のＳＴＡから報告を受信するとき、前記第１のＳＴＡが隠れノードを有すると決定するための手段をさらに備え、前記報告は前記第１のＳＴＡの前記隠れノードの識別情報を含む、Ｃ１７に記載の装置。
［Ｃ３３］
ワイヤレス通信のための装置であって、前記装置はアクセスポイント（ＡＰ）であり、  メモリと、
前記メモリに結合された少なくとも１つのプロセッサと、
を備え、前記少なくとも１つのプロセッサは、
複数のステーション（ＳＴＡ）の各ＳＴＡが前記ＡＰとのアップリンクトラフィックを有すること、または前記複数のＳＴＡのうちのＳＴＡのサブセットの各ＳＴＡが、前記ＡＰにデータを送信し前記ＡＰと前記各ＳＴＡとの間の通信を妨害する隠れノードを有すること、のうちの少なくとも１つに基づいて、前記複数のＳＴＡに、データ送信用の媒体を予約する媒体予約手順を共同でイネーブルおよびディセーブルにするように要求することと、
前記媒体予約手順を共同でイネーブルまたはディセーブルにする間、前記複数のＳＴＡから通信メトリックを示す情報を受信することと、
前記通信メトリックを示す前記受信された情報に基づいて、前記媒体予約手順の前記共同イネーブル化が前記複数のＳＴＡ向けの通信を改善するかどうかを決定することと、    前記媒体予約手順の前記共同イネーブル化が前記複数のＳＴＡ向けの通信を改善するとき、後続の通信のために前記媒体予約手順を共同でイネーブルにするように前記複数のＳＴＡに要求することと、
を行うように構成される、装置。
［Ｃ３４］
前記少なくとも１つのプロセッサは、前記複数のＳＴＡの各々が隠れノードを有すると決定するようにさらに構成され、
前記ＡＰが前記複数のＳＴＡに関連して前記隠れノードから干渉を受けることに基づいて、前記複数のＳＴＡが前記媒体予約手順を共同でイネーブルおよびディセーブルにするように要求される、Ｃ３３に記載の装置。
［Ｃ３５］
前記少なくとも１つのプロセッサは、ＳＴＡの前記サブセットの各ＳＴＡが、前記ＡＰに対する干渉を引き起こす隠れノードを有すると決定するようにさらに構成され、
前記複数のＳＴＡが各々アップリンクトラフィックを有すること、および前記複数のＳＴＡに対するＳＴＡの前記サブセットの割合がしきい値を満たすことに基づいて、前記複数のＳＴＡは前記媒体予約手順を共同でイネーブルおよびディセーブルにするように要求される、Ｃ３３に記載の装置。
［Ｃ３６］
前記媒体予約手順は、送信要求（ＲＴＳ）／送信可（ＣＴＳ）手順を利用する、Ｃ３３に記載の装置。
［Ｃ３７］
前記通信メトリックは、実際のスループット、均等フルバッファスループット、再試行率、パケット誤り率（ＰＥＲ）、変調コーディング方式（ＭＣＳ）、またはアクセス遅延のうちの少なくとも１つを含む、Ｃ３３に記載の装置。
［Ｃ３８］
前記媒体予約手順を共同でイネーブルおよびディセーブルにするように前記複数のＳＴＡに要求するために、前記少なくとも１つのプロセッサは、
第１の時間期間内に前記媒体予約手順を共同でイネーブルにし、第２の時間期間内に前記媒体予約手順を共同でディセーブルにするように前記複数のＳＴＡに要求すること、  を行うようにさらに構成され、
前記媒体予約手順の前記共同イネーブル化が通信を改善するかどうかを決定するために、前記少なくとも１つのプロセッサは、
前記第１の時間期間内の前記複数のＳＴＡの前記通信メトリックと、前記第２の時間期間内の前記複数のＳＴＡの前記通信メトリックとを決定することと、
前記第２の時間期間内の前記通信メトリックと比較して前記第１の時間期間内の前記通信メトリックの改善を決定することと、
を行うようにさらに構成され、前記通信メトリックの前記改善が第１のしきい値を満たすとき、前記複数のＳＴＡ向けの前記通信が改善されると決定される、Ｃ３３に記載の装置。
［Ｃ３９］
前記第１の時間期間内の前記複数のＳＴＡの前記通信メトリックと、前記第２の時間期間内の前記複数のＳＴＡの前記通信メトリックとを決定するために、前記少なくとも１つのプロセッサは、
前記第１の時間期間内に前記媒体予約手順の共同イネーブル化を用いて、前記複数のＳＴＡの各ＳＴＡからデータを受信することと、
前記第１の時間期間内に前記各ＳＴＡから受信された前記データに基づいて、前記複数のＳＴＡの各ＳＴＡについて前記通信メトリックのそれぞれの第１の値を決定することと、
前記第２の時間期間内に前記媒体予約手順の共同ディセーブル化を用いて、前記複数のＳＴＡの各ＳＴＡからデータを受信することと、
前記第２の時間期間内に前記各ＳＴＡから受信された前記データに基づいて、前記複数のＳＴＡの各ＳＴＡについて前記通信メトリックのそれぞれの第２の値を決定することと、
を行うようにさらに構成され、前記通信メトリックの前記改善は前記第１の値および前記第２の値に基づいて決定される、Ｃ３８に記載の装置。
［Ｃ４０］
前記第１の時間期間内に前記媒体予約手順を共同でイネーブルにし、前記第２の時間期間内に前記媒体予約手順を共同でディセーブルにするように前記複数のＳＴＡに要求するために、前記少なくとも１つのプロセッサは、
前記第１の時間期間を示す第１の時間インジケータを前記複数のＳＴＡに送信することと、
前記第２の時間期間を示す第２の時間インジケータを前記複数のＳＴＡに送信することと、
を行うようにさらに構成される、Ｃ３８に記載の装置。
［Ｃ４１］
前記第１の時間期間内に前記媒体予約手順を共同でイネーブルにし、前記第２の時間期間内に前記媒体予約手順を共同でディセーブルにするように前記複数のＳＴＡに要求するために、前記少なくとも１つのプロセッサは、前記複数のＳＴＡの前記各ＳＴＡを識別するＳＴＡインジケータを、前記複数のＳＴＡに送信するようにさらに構成される、Ｃ３８に記載の装置。
［Ｃ４２］
前記ＳＴＡインジケータは、フレームの情報要素（ＩＥ）に含まれるか、またはフレーム内の情報ビットである、Ｃ４１に記載の装置。
［Ｃ４３］
前記少なくとも１つのプロセッサは、前記ＡＰが、ＳＴＡの前記サブセットの第１のＳＴＡから受信されるデータパケットの受信中に信号メトリックの変化を検出するとき、前記第１のＳＴＡが隠れノードを有すると決定するようにさらに構成される、Ｃ３３に記載の装置。
［Ｃ４４］
前記少なくとも１つのプロセッサは、
前記第１のＳＴＡから前記データパケットを受信することと、
前記データパケットの第１の位置における前記信号メトリックの第１の値を決定することと、
前記データパケットの第２の位置における前記信号メトリックの第２の値を決定することと、
を行うようにさらに構成され、前記信号メトリックの前記変化は、前記第１の値および前記第２の値に基づいて検出される、Ｃ４３に記載の装置。
［Ｃ４５］
前記信号メトリックは、受信信号強度指示（ＲＳＳＩ）、推定チャネル係数、推定位相オフセット、推定周波数オフセット、または測定パイロットエラーベクトルの大きさのうちの少なくとも１つを含む、Ｃ４３に記載の装置。
［Ｃ４６］
前記少なくとも１つのプロセッサは、
ＳＴＡの前記サブセットの第１のＳＴＡからのデータパケット内の１つまたは複数のデータユニットが前記ＡＰにおいて正しく受信されなかったことを前記ＡＰが検出するとき、前記第１のＳＴＡが隠れノードを有すると決定するように、さらに構成される、Ｃ３３に記載の装置。
［Ｃ４７］
前記少なくとも１つのプロセッサは、
前記ＡＰがＳＴＡの前記サブセットの第１のＳＴＡから受信されたパケットについての推定パケット誤り率（ＰＥＲ）と測定ＰＥＲとの間の差を検出するとき、前記第１のＳＴＡが隠れノードを有すると決定するように、さらに構成される、Ｃ３３に記載の装置。
［Ｃ４８］
前記少なくとも１つのプロセッサは、
前記ＡＰがＳＴＡの前記サブセットの第１のＳＴＡから報告を受信するとき、前記第１のＳＴＡが隠れノードを有すると決定するように、さらに構成され、
前記報告は前記第１のＳＴＡの前記隠れノードの識別情報を含む、Ｃ３３に記載の装置。
［Ｃ４９］
アクセスポイント（ＡＰ）のワイヤレス通信のためのコンピュータ実行可能コードを記憶するコンピュータ可読媒体であって、
複数のステーション（ＳＴＡ）の各ＳＴＡが前記ＡＰとのアップリンクトラフィックを有すること、または前記複数のＳＴＡのうちのＳＴＡのサブセットの各ＳＴＡが、前記ＡＰにデータを送信し、前記ＡＰと前記各ＳＴＡとの間の通信を妨害する隠れノードを有すること、のうちの少なくとも１つに基づいて、前記複数のＳＴＡに、データ送信用の媒体を予約する媒体予約手順を共同でイネーブルおよびディセーブルにするように要求することと、
前記媒体予約手順を共同でイネーブルまたはディセーブルにする間、前記複数のＳＴＡから通信メトリックを示す情報を受信することと、
前記通信メトリックを示す前記受信された情報に基づいて、前記媒体予約手順の前記共同イネーブル化が前記複数のＳＴＡ向けの通信を改善するかどうかを決定することと、  前記媒体予約手順の前記共同イネーブル化が前記複数のＳＴＡ向けの通信を改善するとき、後続の通信のために前記媒体予約手順を共同でイネーブルにするように前記複数のＳＴＡに要求することと、
を行うためのコードを備える、コンピュータ可読媒体。
［Ｃ５０］
第１のステーション（ＳＴＡ）のワイヤレス通信の方法であって、
送信要求（ＲＴＳ）／送信可（ＣＴＳ）手順に従って、第２のＳＴＡに１つまたは複数のＲＴＳメッセージを送ることと、
前記第２のＳＴＡから前記ＲＴＳメッセージに応答する０個以上のＣＴＳメッセージを受信することと、
前記ＲＴＳメッセージおよび前記ＣＴＳメッセージに基づいて応答率を決定することと、
前記応答率が第１のしきい値を満たすとき、前記第２のＳＴＡに第１の要求を送ることと、
を備え、前記第１の要求は、データ送信を受信するための受信側の利用可能性を告知するように前記第２のＳＴＡに要求する、方法。
［Ｃ５１］
前記第１の要求は、前記第１のＳＴＡにおけるチャネル負荷を含む、Ｃ５０に記載の方法。
［Ｃ５２］
前記１つまたは複数のＲＴＳメッセージは第１の数のＲＴＳメッセージを含み、前記０個以上のＣＴＳメッセージは第２の数のＣＴＳメッセージを含み、前記応答率は前記第１の数および前記第２の数に基づいて決定される、Ｃ５０に記載の方法。
［Ｃ５３］
前記第２のＳＴＡがポーリング手順を実行することを示す第１の承認を前記第２のＳＴＡから受信することと、
前記ポーリング手順に従ってポーリングメッセージを受信することと、ここで、前記ポーリングメッセージは、前記第２のＳＴＡがデータ送信のために利用可能であることを示し、
前記ポーリングメッセージに応答して前記第２のＳＴＡにデータを送信することと、  をさらに備える、Ｃ５０に記載の方法。
［Ｃ５４］
前記ＲＴＳ／ＣＴＳ手順を実行するように前記第１のＳＴＡに要求する第２の要求を、前記第２のＳＴＡから受信することと、ここで、前記第２の要求は前記第２のＳＴＡにおけるチャネル負荷を含み、
前記第２のＳＴＡにおける前記チャネル負荷と前記第１のＳＴＡにおけるチャネル負荷との間の差が第２のしきい値を満たすと決定することと、
前記第１のＳＴＡが前記ＲＴＳ／ＣＴＳ手順を実行することを示す第２の承認を、前記第２のＳＴＡに送信することと、
をさらに備える、Ｃ５３に記載の方法。
［Ｃ５５］
ワイヤレス通信のための装置であって、前記装置は、第１のステーション（ＳＴＡ）であり、
送信要求（ＲＴＳ）／送信可（ＣＴＳ）手順に従って、第２のＳＴＡに１つまたは複数のＲＴＳメッセージを送るための手段と、
前記第２のＳＴＡから前記ＲＴＳメッセージに応答する０個以上のＣＴＳメッセージを受信するための手段と、
前記ＲＴＳメッセージおよび前記ＣＴＳメッセージに基づいて応答率を決定するための手段と、
前記応答率が第１のしきい値を満たすとき、前記第２のＳＴＡに第１の要求を送るための手段と、
を備え、前記第１の要求は、データ送信を受信するための受信側の利用可能性を告知するように前記第２のＳＴＡに要求する、装置。
［Ｃ５６］
前記第１の要求は、前記第１のＳＴＡにおけるチャネル負荷を含む、Ｃ５５に記載の装置。
［Ｃ５７］
前記１つまたは複数のＲＴＳメッセージは第１の数のＲＴＳメッセージを含み、前記０個以上のＣＴＳメッセージは第２の数のＣＴＳメッセージを含み、前記応答率は前記第１の数および前記第２の数に基づいて決定される、Ｃ５５に記載の装置。
［Ｃ５８］
前記第２のＳＴＡがポーリング手順を実行することを示す第１の承認を、前記第２のＳＴＡから受信するための手段と、
前記ポーリング手順に従ってポーリングメッセージを受信するための手段と、ここで、前記ポーリングメッセージは、前記第２のＳＴＡがデータ送信に利用可能であることを示し、
前記ポーリングメッセージに応答して前記第２のＳＴＡにデータを送信するための手段と、
をさらに備える、Ｃ５５に記載の装置。
［Ｃ５９］
前記ＲＴＳ／ＣＴＳ手順を実行するように前記第１のＳＴＡに要求する第２の要求を、前記第２のＳＴＡから受信するための手段と、ここで、前記第２の要求は前記第２のＳＴＡにおけるチャネル負荷を含み、
前記第２のＳＴＡにおける前記チャネル負荷と前記第１のＳＴＡにおけるチャネル負荷との間の差が第２のしきい値を満たすと決定するための手段と、
前記第１のＳＴＡが前記ＲＴＳ／ＣＴＳ手順を実行することを示す第２の承認を、前記第２のＳＴＡに送信するための手段と、
をさらに備える、Ｃ５８に記載の装置。
［Ｃ６０］
ワイヤレス通信のための装置であって、前記装置は、第１のステーション（ＳＴＡ）であり、
メモリと、
前記メモリに結合された少なくとも１つのプロセッサと、
を備え、前記少なくとも１つのプロセッサは、
送信要求（ＲＴＳ）／送信可（ＣＴＳ）手順に従って、第２のＳＴＡに１つまたは複数のＲＴＳメッセージを送ることと、
前記第２のＳＴＡから前記ＲＴＳメッセージに応答する０個以上のＣＴＳメッセージを受信することと、
前記ＲＴＳメッセージおよび前記ＣＴＳメッセージに基づいて応答率を決定することと、
前記応答率が第１のしきい値を満たすとき、前記第２のＳＴＡに第１の要求を送ることと、
を行うように構成され、前記第１の要求は、データ送信を受信するための受信側の利用可能性を告知するように前記第２のＳＴＡに要求する、装置。
［Ｃ６１］
前記第１の要求は、前記第１のＳＴＡにおけるチャネル負荷を含む、Ｃ６０に記載の装置。
［Ｃ６２］
前記１つまたは複数のＲＴＳメッセージは第１の数のＲＴＳメッセージを含み、前記０個以上のＣＴＳメッセージは第２の数のＣＴＳメッセージを含み、前記応答率は前記第１の数および前記第２の数に基づいて決定される、Ｃ６０に記載の装置。
［Ｃ６３］
前記少なくとも１つのプロセッサは、
前記第２のＳＴＡがポーリング手順を実行することを示す第１の承認を、前記第２のＳＴＡから受信することと、
前記ポーリング手順に従ってポーリングメッセージを受信することと、ここで、前記ポーリングメッセージは、前記第２のＳＴＡがデータ送信に利用可能であることを示す、  前記ポーリングメッセージに応答して前記第２のＳＴＡにデータを送信することと、  を行うようにさらに構成される、Ｃ６０に記載の装置。
［Ｃ６４］
前記少なくとも１つのプロセッサは、
前記ＲＴＳ／ＣＴＳ手順を実行するように前記第１のＳＴＡに要求する第２の要求を、前記第２のＳＴＡから受信することと、ここで、前記第２の要求は前記第２のＳＴＡにおけるチャネル負荷を含み、
前記第２のＳＴＡにおける前記チャネル負荷と前記第１のＳＴＡにおけるチャネル負荷との間の差が第２のしきい値を満たすと決定することと、
前記第１のＳＴＡが前記ＲＴＳ／ＣＴＳ手順を実行することを示す第２の承認を、前記第２のＳＴＡに送信することと、
を行うようにさらに構成される、Ｃ６３に記載の装置。
［Ｃ６５］
第１のステーション（ＳＴＡ）のワイヤレス通信のためのコンピュータ実行可能コードを記憶するコンピュータ可読媒体であって、
送信要求（ＲＴＳ）／送信可（ＣＴＳ）手順に従って、第２のＳＴＡに１つまたは複数のＲＴＳメッセージを送ることと、
前記第２のＳＴＡから前記ＲＴＳメッセージに応答する０個以上のＣＴＳメッセージを受信することと、
前記ＲＴＳメッセージおよび前記ＣＴＳメッセージに基づいて応答率を決定することと、
前記応答率が第１のしきい値を満たすとき、前記第２のＳＴＡに第１の要求を送ることと、
を行うためのコードを備え、前記第１の要求は、データ送信を受信するための受信側の利用可能性を告知するように前記第２のＳＴＡに要求する、コンピュータ可読媒体。